(57)【特許請求の範囲】
【請求項１】
平面視において長方形のケース(1)内に、ケース両側壁に沿って収納される角形の電池(5)と、
該電池のケース両側壁に対向する２つの側面を接続するひとつの側面に、隣接して配置されると共に、前記電池(5)下には延在しない回路基板(10)と、
前記ひとつの側面に平行な前記ケース(1)の側面に配置される入力コネクタ(7)、出力コネクタ(6)と、
を備え、
充電できる前記電池(5)を内蔵する前記ケース(1)と、このケース(1)に一端を連結してケース(1)に内蔵している電池(5)の電力を携帯機器(90)に出力する、携帯機器(90)に脱着自在に接続されるコネクタ(41)を先端に連結してなるコネクタ付きリード線(4)とを備える非常用の充電器であって、
前記ケース(1)が、電池(5)を内蔵してなる本体ケース(2)と、この本体ケース(2)にスライド自在に連結してなるスライドケース(3)とを備えており、さらに前記本体ケース(2)は、前記コネクタ付きリード線(4)を出し入れできるように収納する収納室(20)を有し、前記スライドケース(3)が、収納室(20)の開口部を開閉自在に閉塞するようにスライド自在に本体ケース(2)に連結してなることを特徴とする非常用の充電器。
【請求項２】
前記スライドケース(3)が、収納室(20)の開口部を閉塞する閉塞プレート(31)の両側に、前記本体ケース(2)の両側面を摺動する側壁(32)を有し、本体ケース(2)の両側面とスライドケース(3)の側壁(32)の対向面の一方に、本体ケース(2)の両側面の長手方向に伸びるガイド溝(11)が設けられ、他方にはガイド溝(11)に沿って移動するガイド凸部(12)が設けられ、このガイド凸部(12)を前記ガイド溝(11)に沿って摺動して、スライドケース(3)が本体ケース(2)に摺動自在に連結されてなる請求項１に記載される非常用の充電器。
【請求項３】
前記収納室(20)が、前記コネクタ(41)を定位置にセットするホルダー部(27)を有する請求項１又は２に記載される非常用の充電器。
【請求項４】
前記コネクタ(41)に、リード線(42)を挿通してなるブッシュ(44)を連結しており、前記ホルダー部(27)は、前記ブッシュ(44)を両側から挟着して定位置に保持する挟着部(27A)と、この挟着部(27A)にブッシュ(44)を挟着してなるコネクタ(41)の下にあって収納室(20)の底面から上方に突出して、かつ上面をブッシュ(44)からコネクタ(41)の先端に向かって下り勾配に傾斜してなる傾斜突出部(27B)とを有し、コネクタ(41)の端部が傾斜突出部(27B)に向かって押圧されて、ブッシュ(44)が押し出されるようにしてなる請求項３に記載される非常用の充電器。
【請求項５】
前記本体ケース(2)が、収納室(20)の周囲に設けてなる周壁(24)を備え、前記ホルダー部(27)が、前記周壁(24)の内面にあって、前記コネクタ(41)の先端部を挿通して係止する係止部(27C)を備える請求項３又は４に記載される非常用の充電器。
【請求項６】
前記周壁(24)の内面に設けている係止部(27C)に先端部を係止してなるコネクタ(41)の先端部の下方に、リード線(42)を配置する収納スペース(28)を設けている請求項５に記載される非常用の充電器。
【請求項７】
前記本体ケース(2)の収納室(20)に、コネクタ付きリード線(4)のリード線(42)をＵ曲して収納するようにしてなる請求項１ないし６のいずれかに記載される非常用の充電器。
【請求項８】
前記本体ケース(2)が、収納室(20)の周囲に設けてなる周壁(24)を備え、この周壁(24)の複数カ所に、リード線(42)を案内して収納室(20)から外部に引き出すスリット(26)を設けてなる請求項１ないし７のいずれかに記載される非常用の充電器。
【請求項９】
前記本体ケース(2)が下ケース(2A)と上ケース(2B)とからなり、下ケース(2A)は底板(51)の周囲に周壁(54)を有すると共に、電池(5)を内蔵する閉塞室(21)と収納室(20)とを区画する区画壁(53)とを備え、上ケース(2B)は、天板(61)の周囲に周壁(64)を有すると共に、収納室(20)の底面に配設される底プレート(62)を一体的に成形して設けており、底プレート(62)にはコネクタ(41)を定位置にセットするホルダー部(27)を一体的に成形して設けている請求項３ないし８のいずれかに記載される非常用の充電器。
【請求項１０】
前記本体ケース(2)に、内蔵している電池(5)の充電電力を外部から入力する入力コネクタ(7)を備える請求項１ないし９のいずれかに記載される非常用の充電器。
【請求項１１】
前記本体ケース(2)に、電磁誘導作用で外部からの供給電力を誘導する誘導コイル(16)と、この誘導コイル(16)に誘導される電力を電池(5)を充電する直流に変換する電源回路(17)とを内蔵してなる請求項１ないし１０のいずれかに記載される非常用の充電器。
【発明の詳細な説明】
【技術分野】
【０００１】
本発明は、携帯電話等の携帯機器に接続されて、携帯機器に内蔵している電池を充電する非常用の充電器に関し、とくに、携帯機器と一緒に持ち運びして、携帯機器の電池が放電された状態では、携帯機器に接続して、内蔵している電池を充電する非常用の充電器に関する。
【背景技術】
【０００２】
充電器は、ケースからリード線を引き出して、このリード線の先端に、携帯機器に脱着できるように接続するコネクタを設けている。この充電器は、使用しないときにリード線やコネクタが邪魔になる。この弊害を防止するために、リード線とコネクタを収納する収納部を設けている充電器が開発されている。
【先行技術文献】
【特許文献】
【０００３】
【特許文献１】特開平７−９５７３１号公報
【発明の概要】
【発明が解決しようとする課題】
【０００４】
特許文献１の充電器は、ケースに設けた収納部に、コネクタとカールコードのリード線を収納して、収納部を蓋で閉塞するようにしている。この充電器は、使用するときに、リード線とコネクタを収納部から引き出し、コネクタを別途用意される携帯機器（図示なし）に接続して携帯機器に内蔵される内蔵電池を充電する。使用しないときは、カールコードのリード線とコネクタを収納部に収納して、収納部を蓋で閉塞する。
【０００５】
以上の充電器は、蓋を蝶番で開閉できるようにケースに連結している。この蓋は、閉じる状態に保持するために、蝶番の反対側に係止リブを設けている。この係止リブを係止するように、ケースには係止溝を設けている。係止リブが係止溝に案内されて、蓋は閉位置に保持される。この状態で蓋を閉じる充電器は、収納部に収納しているコネクタやリード線に内側から押されて開きやすい欠点がある。それは、収納しているコネクタやリード線が内面から押す方向が、蓋を開く方向と同じ方向にあるからである。係止リブと係止溝を硬く係止する構造にして、蓋が開くのを防止できる。ただ、この構造にすると、リード線とコネクタを収納して、蓋をスムーズに軽く閉じることができない欠点がある。また、リード線やコネクタが蓋を内面から押さない構造として、蓋が開かれるのを防止できるが、この構造は収納部を大きくする必要があって、全体の形状が大きくなる欠点がある。
【０００６】
本発明は、以上の欠点を解決することを目的に開発されたものである。本発明の重要な目的は、収納部の開口部を閉塞する蓋であるスライドケースをスムーズに開閉しながら、収納しているコネクタ付きリード線でスライドケースが開かれることがない非常用の充電器を提供することにある。
また、本発明の充電器の他の大切な目的は、コネクタやリード線を狭い収納室に収納しながら、収納室が収納しているコネクタ付きリード線に押されてもスライドケースが開かれることがなく、全体をコンパクトにしながらスライドケースを確実に閉位置に保持できる非常用の充電器を提供することにある。
【課題を解決するための手段及び発明の効果】
【０００７】
本発明の非常用の充電器は、平面視において長方形のケース１内に、ケース両側壁に沿って収納される角形の電池５と、該電池のケース両側壁に対向する２つの側面を接続するひとつの側面に、隣接して配置されると共に、電池５下には延在しない回路基板１０と、前記ひとつの側面に平行な前記ケース(1)の側面に配置される入力コネクタ７、出力コネ
クタ６と、を備え、充電できる電池５を内蔵するケース１と、このケース１に一端を連結して、ケース１に内蔵している電池５の電力を携帯機器９０に出力すると共に、先端に携帯機器９０に脱着自在に接続されるコネクタ４１を連結してなるコネクタ付きリード線４とを備えている。ケース１は、電池５を内蔵してなる本体ケース２と、この本体ケース２にスライド自在に連結してなるスライドケース３とを備えている。さらに、本体ケース２は、コネクタ付きリード線４を出し入れできるように収納する収納室２０を有しており、スライドケース３が、収納室２０の開口部を開閉自在に閉塞するようにスライド自在に本体ケース２に連結している。
【０００８】
以上の充電器は、収納室の開口部を閉塞するスライドケースをスムーズに開閉しながら、収納しているコネクタ付きリード線に押されてもスライドケースが開かれることがない。とくに、以上の充電器は、収納室を狭くして、狭い収納室にコネクタ付きリード線を収納しながら、スライドケースがコネクタ付きリード線に押されても開くことがなく、ケース全体をコンパクトにしながらスライドケースを確実に閉位置に保持できる。
【０００９】
本発明の非常用の充電器は、スライドケース３が、収納室２０の開口部を閉塞する閉塞プレート３１の両側に、本体ケース２の両側面を摺動する側壁３２を有して、本体ケース２の両側面とスライドケース３の側壁３２の対向面の一方に、本体ケース２の両側面の長手方向に伸びるガイド溝１１を設けて、他方にはガイド溝１１に沿って移動するガイド凸部１２を設けて、このガイド凸部１２をガイド溝１１に沿って摺動させて、スライドケース３を本体ケース２に摺動自在に連結することができる。
以上の充電器は、ガイド凸部をガイド溝に摺動させて、スライドケースを開閉できるように本体ケースに連結するので、簡単な構造でスライドケースを本体ケースにスライド自在に連結できる。また、本体ケースの両側面の長手方向に伸びるガイド溝にガイド凸部を案内して、スライドケースをスライド自在に本体ケースに連結するので、スライドケースがコネクタ付きリード線で内面から押されても、スライドケースが開くことがない特徴も実現する。
【００１０】
本発明の非常用の充電器は、収納室２０が、コネクタ４１を定位置にセットするホルダー部２７を有することができる。
以上の充電器は、収納室に収納されるコネクタ付きリード線のコネクタをホルダー部で定位置にセットできるので、狭い収納室からコネクタ付きリード線が突出しないように収納できる。
【００１１】
本発明の非常用の充電器は、コネクタ４１に、リード線４２を挿通してなるブッシュ４４を連結すると共に、ホルダー部２７が、ブッシュ４４を両側から挟着して定位置に保持する挟着部２７Ａと、この挟着部２７Ａにブッシュ４４を挟着してなるコネクタ４１の下にあって収納室２０の底面から上方に突出して、かつ上面をブッシュ４４からコネクタ４１の先端に向かって下り勾配に傾斜してなる傾斜突出部２７Ｂとを有して、コネクタ４１の端部を傾斜突出部２７Ｂに向かって押圧して、ブッシュ４４を押し出すことができる。
以上の充電器は、収納室にセットしているコネクタの一端を押すことで、コネクタを傾動して取り出しやすい姿勢にできる特徴がある。このため、この充電器は、コネクタを狭い収納室にセットしながら、簡単に取り出しできる特徴がある。
【００１２】
本発明の非常用の充電器は、本体ケース２が、収納室２０の周囲に設けてなる周壁２４を備えて、ホルダー部２７が、周壁２４の内面にあって、コネクタ４１の先端部を挿通して係止する係止部２７Ｃを備えることができる。
この充電器は、コネクタの先端部を係止部で係止しながら、コネクタに連結してなるブッシュを挟着部で挟着して保持するので、収納室に収納されるコネクタ付きリード線のコネクタをホルダー部でもって定位置に特定の姿勢で保持できる。
【００１３】
本発明の非常用の充電器は、周壁２４の内面に設けている係止部２７Ｃに先端部を係止してなるコネクタ４１の先端部の下方に、リード線４２を配置する収納スペース２８を設けることができる。
この充電器は、収納室に収納されるリード線を、係止部に係止してなるコネクタの先端部の下方に配置するので、長いリード線が収納室から突出するのを確実に阻止しながら、コネクタ付きリード線を狭い収納室に省スペースに収納できる。
【００１４】
本発明の非常用の充電器は、本体ケース２の収納室２０に、コネクタ付きリード線４のリード線４２をＵ曲して収納することができる。
この充電器は、リード線をＵ曲して収納するので、短い収納室に長いリード線をスッキリと収納できる。
【００１５】
本発明の非常用の充電器は、本体ケース２が、収納室２０の周囲に設けてなる周壁２４を備えて、この周壁２４の複数カ所に、リード線４２を案内して収納室２０から外部に引き出すスリット２６を設けることができる。
この充電器は、リード線を外部に引き出すスリットを複数カ所に設けているので、使用状態によって、リード線を案内するスリットを変更することで、携帯機器と充電器との相対位置に最適なスリットにリード線を案内でき、リード線を短くしながら、リード線に無理な力が作用しない状態で使用できる特徴がある。
【００１６】
本発明の非常用の充電器は、本体ケース２を下ケース２Ａと上ケース２Ｂで構成し、下ケース２Ａは底板５１の周囲に周壁５４を有すると共に、電池５を内蔵する閉塞室２１と収納室２０とを区画する区画壁５３とを備え、上ケース２Ｂは、天板６１の周囲に周壁６４を有すると共に、収納室２０の底面に配設される底プレート６２を一体的に成形して設けて、底プレート６２にはコネクタ４１を嵌着して定位置にセットするホルダー部２７を一体的に成形して設けることができる。
以上の充電器は、下ケースに上ケースを連結することで、ケースの内部に電池を内蔵する閉塞室を設けることができ、また、コネクタ付きリード線をセットできる収納室も設けることができる。
【００１７】
本発明の非常用の充電器は、本体ケース２に、内蔵している電池５の充電電力を外部から入力する入力コネクタ７を備えることができる。
この充電器は、入力コネクタ４１から電力を供給できるので、コネクタ付きリード線４を収納室２０に収納する状態で、ケース１からリード線４２を引き出す必要がなく、便利に持ち運びできる特徴がある。
【００１８】
本発明の非常用の充電器は、本体ケース２に、電磁誘導作用で外部からの供給電力を誘導する誘導コイル１６と、この誘導コイル１６に誘導される電力を、電池５を充電する直流に変換する電源回路１７とを内蔵することができる。
【図面の簡単な説明】
【００１９】
【図１】本発明の一実施例にかかる非常用の充電器の斜視図である。
【図２】図１に示す非常用の充電器の使用状態を示す斜視図である。
【図３】図１に示す非常用の充電器の他の使用状態を示す斜視図である。
【図４】図１に示す非常用の充電器の上下を反転した斜視図である。
【図５】図４に示す非常用の充電器のスライドケースを開いた状態を示す斜視図である。
【図６】図４に示す非常用の充電器のＶＩ−ＶＩ線断面図である。
【図７】図４に示す非常用の充電器の一部拡大ＶＩＩ−ＶＩＩ線断面図である。
【図８】図４に示す非常用の充電器のＶＩＩＩ−ＶＩＩＩ線断面図である。
【図９】図４に示す非常用の充電器の分解斜視図である。
【図１０】図７に示す非常用の充電器を下側から見た分解斜視図である。
【図１１】図９に示す非常用の充電器の本体ケースの内部構造を示す平面図である。
【図１２】本体ケースの分解斜視図である。
【図１３】図１２に示す本体ケースを背面側から見た分解斜視図である。
【図１４】図１２に示す本体ケースの上ケースを下側から見た斜視図である。
【図１５】本発明の一実施例にかかる非常用の充電器のブロック図である。
【図１６】本発明の他の実施例にかかる非常用の充電器のブロック図である。
【発明を実施するための形態】
【００２０】
以下、本発明の実施例を図面に基づいて説明する。ただし、以下に示す実施例は、本発明の技術思想を具体化するための非常用の充電器を例示するものであって、本発明は非常用の充電器を以下のものに特定しない。
【００２１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２２】
本発明の非常用の充電器を図１ないし図１４に示している。図１ないし図３は、非常用の充電器の斜視図とその使用状態を示す斜視図を示している。また、図４ないし図１４は、本発明の非常用の充電器の構造を理解しやすいように、図１に示す状態から上下を反転した状態における斜視図、断面図、及び分解斜視図を示している。したがって、本明細書における上下方向は、図４ないし図１４における方向とする。
【００２３】
図１ないし図３に示す非常用の充電器は、コネクタ付きリード線４を携帯電話９１に接続して、携帯電話９１に内蔵している電池を充電するのに使用される。ただ、以上の図に示す充電器は、ケース１にＵＳＢコネクタ６を設けているので、このＵＳＢコネクタ６に接続できる全ての電子機器に電力を供給することもできる。
【００２４】
図１ないし図１４に示す充電器は、充電できる電池である二次電池５を内蔵しているプラスチック製のケース１と、このケース１に一端を連結してケース１に内蔵している電池５の電力を携帯機器９０に出力すると共に、携帯機器９０に脱着自在に接続されるコネクタ４１を先端に連結しているコネクタ付きリード線４とを備えている。
【００２５】
ケース１は、二次電池５を内蔵している本体ケース２と、この本体ケース２にスライド自在に連結してなるスライドケース３とを備えている。本体ケース２は、コネクタ付きリード線４を出し入れできるように収納する収納室２０を設けている。スライドケース３は、収納室２０の開口部を開閉自在に閉塞するように、スライド自在に本体ケース２に連結している。
【００２６】
スライドケース３は、図９と図１０に示すように、収納室２０の開口部を閉塞する閉塞プレート３１の両側に、本体ケース２の両側面を摺動する側壁３２を設ける形状にプラスチックを成形している。このスライドケース３をスライド自在に本体ケース２に連結するために、本体ケース２の両側面とスライドケース３の側壁３２の対向面の一方に、本体ケース２の両側面の長手方向に伸びるガイド溝１１を設けて、他方にはガイド溝１１に沿って移動するガイド凸部１２を設けている。ガイド凸部１２がガイド溝１１に沿って摺動して、スライドケース３は本体ケース２に摺動自在に連結される。
【００２７】
図９と図１０の充電器は、本体ケース２の両側面に長手方向に沿ってガイド溝１１を設けて、スライドケース３の側壁３２にガイド凸部１２を設けている。ガイド凸部１２は、長手方向に伸びる凸条としている。ただ、図示しないが、スライドケースの側壁にガイド溝を設けて、本体ケースの両側面にガイド凸部を設けることもできる。
【００２８】
さらに、図７ないし図１０の充電器は、本体ケース２の両側面に、スライドケース３の側壁３２を配置する段差凹部２２を設けている。段差凹部２２は、その横幅をスライドケース３の側壁３２の横幅とし、その段差を側壁３２の厚さとしている。この構造のケース１は、スライドケース３の側壁３２が本体ケース２の両側面から突出しない。したがって、このケース１は、スライドケース３を、収納室２０の開口部を閉じる位置に移動する状態で、その両側面を平面状にできる。図のケース１は、スライドケース３の側壁３２の横幅を、本体ケース２の両側面の横幅の約半分としている。すなわち、段差凹部２２の横幅を本体ケース２の両側面の横幅の約半分としている。
【００２９】
さらに、図９と図１０のケース１は、本体ケース２とスライドケース３とを、外形を等しくする平面視において長方形として、正確には、スライドケース３の閉塞プレート３１の外形と本体ケース２の外形を等しくして、本体ケース２の長手方向の一端部に収納室２０を設けている。スライドケース３は、長方形である本体ケース２の長手方向にスライド自在に連結されて、収納室２０の開口部を閉塞するようにしている。図６の本体ケース２は、外側と内側を区画する区画壁２３を設けて、区画壁２３の外側を収納室２０、区画壁２３の内側を閉塞室２１としている。
【００３０】
閉塞室２１は密閉されて、二次電池５を内蔵している。二次電池５は、角形電池のリチウムイオン電池である。この充電器は、閉塞室２１に内蔵する二次電池５を薄くできるので、ケース１を薄くでき、また、リチウムイオン電池によって充放電の容量を大きくできる。ただ、本発明の充電器は、二次電池をリチウムイオン電池に特定しない。ケースに内蔵する二次電池は、たとえばニッケル水素電池やニッケルカドミウム電池など、充電できる全ての電池を使用できる。
【００３１】
閉塞室２１は、コネクタ付きリード線４で接続される携帯機器９０に供給する電力の電圧や電流をコントロールするコントロール回路１３（図１５参照）も内蔵している。また、図に示す充電器は、ケース１に電力を出力するＵＳＢコネクタ６を備えるので、このＵＳＢコネクタ６に出力する電力の電圧と電流をコントロールするコントロール回路１４（図１５参照）も閉塞室２１に内蔵している。さらにまた、閉塞室２１は、内蔵している二次電池５を充電する充電回路１５（図１５参照）も内蔵している。図６と図１１に示す充電器は、閉塞室２１に回路基板１０を内蔵しており、この回路基板１０に、前述のコントロール回路１３、１４や充電回路１５を実現する電子部品（図示せず）を装備している。さらに、回路基板１０は、外部から供給される電力が入力される入力コネクタ７と、外部に電力を出力するＵＳＢコネクタ６も固定している。
【００３２】
充電回路１５は、二次電池５を充電する電流や電圧をコントロールし、二次電池５の満充電を検出して充電を停止する。二次電池５をリチウムイオン電池とする充電器は、リチウムイオン電池を定電圧・定電流回路する充電回路１５を内蔵している。二次電池をニッケル水素電池やニッケルカドミウム電池とする充電器は、定電流充電する充電回路を閉塞室に内蔵している。充電回路１５は、ケース１の端面に設けている入力コネクタ７から入力される電力の電圧や電流をコントロールして、二次電池５を充電する。さらに、本体ケース２の閉塞室２１に内蔵される充電回路１５は、図１６に示すように、電磁誘導作用で外部からの供給電力を誘導する誘導コイル１６と、この誘導コイル１６に誘導される電力を、電池５を充電する直流に変換する電源回路１７とをケースに内蔵して、この電源回路１７から供給される電力の電圧や電流をコントロールして、二次電池５を充電することもできる。この充電器は、電源コイルを内蔵する充電台（図示せず）に載せられて、内蔵する二次電池５を充電する。この充電器は、充電台の電源コイルから誘導コイル１６に電磁誘導作用で電力搬送される電力で二次電池５を充電する。電源回路１７は、誘導コイル１６に誘導される電力を、二次電池５を充電する直流の電圧と電流に変換して二次電池５を充電する。
【００３３】
本体ケース２の一端部に設けている収納室２０は、図５、図６、図８、及び図９において底面を閉塞して上面を開口し、区画壁２３と周壁２４の３辺で囲まれる四角形としている。図５と図９に示す収納室２０は、区画壁２３の長手方向に細長い長方形としている。区画壁２３は、収納室２０側に突出するように、リード線４２を連結する連結部２５を設けている。リード線４２は、ブッシュ４３を介して連結部２５に連結され、連結部２５から閉塞室２１に設けているコントロール回路１３に接続される。リード線４２は、四角形の連結部２５に、区画壁２３に沿って引き出されるよう、いいかえると長方形の収納室２０の長手方向に引き出されるように連結している。このリード線４２は、図８と図１１に示すように、平面視において長方形である収納室２０の両端部でＵ曲して収納できる。
【００３４】
さらに、図２ないし図５、及び図９ないし図１３のケース１は、収納室２０の周囲に設けている周壁２４の複数カ所に、リード線４２を案内して収納室２０から外部に引き出すスリット２６を設けている。図のケース１は、連結部２５から引き出されるリード線４２を直線状にして案内できるスリット２６Ａと、Ｌ字状に湾曲して引き出しできるスリット２６Ｂとを周壁２４に設けている。直線状に引き出されるリード線４２を案内するスリット２６Ａは、本体ケース２の両側面に位置する周壁２４に設けられ、Ｌ字状に折曲するリード線４２を案内するスリット２６Ｂは、本体ケース２の端面に沿う周壁２４に設けている。周壁２４にスリット２６を設けているケース１は、図２と図３に示すように、コネクタ付きリード線４を収納室２０から引き出し、コネクタ４１を携帯機器９０に接続する状態で、収納室２０をスライドケース３で閉塞できる。
【００３５】
コネクタ４１は、リード線４２を挿通するブッシュ４４を連結している。ブッシュ４４はゴム状弾性体からなるプラスチックを筒状に成形したもので、一端をコネクタ４１に固定している。ブッシュ４４はリード線４２と共に変形しやすいように両側と上下の対向する位置に溝を設けている。ブッシュ４４は、リード線４２を曲がりやすい状態に保護して、リード線４２のコネクタ連結部を補強する。ブッシュ４４で補強されるリード線４２は、コネクタ４１との連結部の断線、とくにリード線４２の内部の多数の細い金属線の断線が防止される。
【００３６】
図６、図８、図９、図１２、及び図１３の本体ケース２は、ブッシュ４４を挟着してコネクタ４１を定位置に保持するホルダー部２７を収納室２０に設けている。ホルダー部２７は、本体ケース２のプラスチックに一体的に成形して設けている。ホルダー部２７は、ブッシュ４４を両側から挟着して定位置に保持する挟着部２７Ａと、この挟着部２７Ａで保持されるコネクタ４１の下方に配置している傾斜突出部２７Ｂとからなる。挟着部２７Ａは、ここにブッシュ４４を圧入して定位置に配置する。したがって、挟着部２７Ａはその間隔をブッシュ４４の横幅よりもわずかに狭くして、圧入されるブッシュ４４を両側から弾性的に挟着して定位置に配置する。
【００３７】
傾斜突出部２７Ｂは、図６と図８に示すように、収納室２０の底面から上方に突出して設けられて、その上面をブッシュ４４からコネクタ４１の先端に向かって下り勾配に傾斜する傾斜面２７ｂとしている。コネクタ４１は、ブッシュ４４を挟着部２７Ａに挟着して水平姿勢で定位置に配置される。水平姿勢に保持されるコネクタ４１は、図８の矢印Ａで示すように、先端部を傾斜突出部２７Ｂに向かって押すと、その下面を傾斜面２７ｂに沿う姿勢として、矢印Ｂで示すように、ブッシュ４４を収納室２０の底面から押し出す姿勢、すなわちブッシュ４４を底面から押し上げる姿勢とする。底面から押し上げられるブッシュ４４は、ユーザーが掴みやすい位置にあって、簡単に収納室２０から取り出しされる。
【００３８】
さらに、図８、図９、図１２及び図１３の本体ケース２は、コネクタ４１を水平姿勢に保持するためのホルダー部２７として、収納室２０の周囲に設けている周壁２４の内面に、コネクタ４１の先端部を挿通して係止する係止部２７Ｃを設けている。周壁２４の上縁に沿って、内側に突出するひさしを設けて係止部２７Ｃとしている。このホルダー部２７は、コネクタ４１の先端を係止部２７Ｃであるひさしの下に挿入した後、ブッシュ４４を挟着部２７Ａに圧入して、コネクタ４１を水平姿勢で定位置に配置する。
【００３９】
さらに、図８の断面図に示す収納室２０は、周壁２４の内面に設けている係止部２７Ｃに先端部を係止して水平姿勢に保持されるコネクタ４１の先端部の下方に、リード線４２を配置する収納スペース２８を設けている。傾斜突出部２７Ｂは、収納室２０の底面から上に突出して設けられる。この傾斜突出部２７Ｂを、係止部２７Ｃを設けている周壁２４から離して内側に配置して、コネクタ４１の先端部の下方に収納スペース２８を設けることができる。さらに、図８のコネクタ４１は、その先端部に、携帯機器９０に挿入される挿入部４１Ｂを設けている。挿入部４１Ｂは、コネクタ４１の本体部４１Ａよりも薄くして、携帯機器９０に挿入される形状としている。収納スペース２８は、薄い挿入部４１Ｂの下方に設けている。薄い収納部を利用して、その下方にリード線４２を配置する収納スペース２８を設けている。
【００４０】
以上の収納室２０は、図５、図８、及び図１１に示すように、リード線４２の両端部をＵ曲して収納している。収納室２０に配置される一方のＵ曲部４２Ａであるブッシュ４３側のＵ曲部４２Ａは収納スペース２８に配置される。また、コネクタ４１のブッシュ４４に近い側のＵ曲部４２Ｂは、収納スペース２８の反対側に配置される。この姿勢で収納室２０に配置されるリード線４２は、連結部２５から引き出された部分をＵ曲して、コネクタ先端部の挿入部４１Ｂの下方の収納スペース２８に配置し、さらに、コネクタ４１のブッシュ４４に近い部分を収納室２０の他端部でＵ曲して収納室２０に配置される。
【００４１】
以上の本体ケース２は、図６、及び図１２ないし図１４に示すように、プラスチック製の下ケース２Ａに上ケース２Ｂを連結している。下ケース２Ａは、底板５１の周囲に周壁５４を有する形状に成形されて、電池５を内蔵する閉塞室２１と、コネクタ付きリード線４を収納する収納室２０とを区画する区画壁５３とを一体的に成形して設けている。上ケース２Ｂは、天板６１の周囲に周壁６４を有する形状であって、閉塞室２１と収納室２０とを区画する区画壁６３と、収納室２０の底面に配設される底プレート６２とを一体的に成形して設けている。上ケース２Ｂは、底プレート６２と周壁６４に、コネクタ４１を定位置にセットするホルダー部２７を一体的に成形して設けている。係止部２７Ｃは周壁６４に連結して、挟着部２７Ａと傾斜突出部２７Ｂは底プレート６２に連結して設けている。
【００４２】
上ケース２Ｂの周壁６４は、下ケース２Ａの周壁５４に連結されて、閉塞室２１を設けている。図６、図７（特に拡大図）、図１２、及び図１３の本体ケース２は、下ケース２Ａの周壁５４に、上ケース２Ｂの周壁６４を嵌合係止構造で抜けないように連結している。下ケース２Ａは、周壁５４の内側に沿って係止プレート５５を一体的に成形して設けて、この係止プレート５５と周壁５４との間に、上ケース２Ｂの周壁６４を挿入する挿通隙間５６を設けている。上ケース２Ｂは、挿通隙間５６に挿入される挿入プレート６５を周壁６４から下方に伸びるように設けており、この挿入プレート６５には係止凸部６５Ａを設けている。下ケース２Ａの係止プレート５５は、挿入プレート６５の係止凸部６５Ａを案内する係止孔５５Ａを設けている。上ケース２Ｂの周壁６４に設けた挿入プレート６５が挿通隙間５６に挿入されて、上ケース２Ｂの周壁６４は下ケース２Ａの周壁５４に連結される。以上の本体ケース２は、挿入プレート６５を挿通隙間５６に挿入して簡単に連結できる。ただ、上ケースと下ケースとは、接着し、あるいは熱溶着などの構造で周壁を連結することもできる。
【００４３】
さらに、下ケース２Ａは、係止プレート５５の内側に、リード線４５を案内して抜けないように配置する配線溝５７を設けている。図７、図１２、及び図１３等に示す下ケース２Ａは、係止プレート５５の内側に配線リブ５８を一体的に成形して設けて、配線リブ５８と係止プレート５５との間に配線溝５７を設けている。さらに、配線溝５７に配線されるリード線４５が抜けないように、係止プレート５５の配線溝５７側には、その上縁に沿って抜け止め突出部５５Ｂを一体的に成形して設けている。リード線４５は、抜け止め突出部５５Ｂよりも下方に押し込まれて、抜けないように配線溝５７に配置される。図１３の下ケース２Ａは、区画壁５３の一方の端部に、区画壁５３に対して直交して、係止プレート５５に沿うように配線リブ５８を設けている。さらに、この図の下ケース２Ａは、電池５を定位置に配置するホルダーリブ５９の端部にも、係止プレート５５に沿う配線リブ５８を一体的に成形して設けている。また、このホルダーリブ５９と区画壁５３の中間部にも、係止プレート５５と平行に配線リブ５８を一体的に成形して設けている。係止プレート５５と配線リブ５８は、リード線４５を圧入するときに弾性変形する厚さに成形している。この構造は、リード線４５を配線溝５７にスムーズに圧入し、圧入された状態では係止プレート５５と配線リブ５８に弾性的に挟着され、さらに抜け止め突出部５５Ｂによって抜けないように定位置に配置できる。
【符号の説明】
【００４４】
１…ケース
２…本体ケース                ２Ａ…下ケース
２Ｂ…上ケース
３…スライドケース
４…コネクタ付きリード線
５…電池
６…ＵＳＢコネクタ
７…入力コネクタ
１０…回路基板
１１…ガイド溝
１２…ガイド凸部
１３…コントロール回路
１４…コントロール回路
１５…充電回路
１６…誘導コイル
１７…電源回路
２０…収納室
２１…閉塞室
２２…段差凹部
２３…区画壁
２４…周壁
２５…連結部
２６…スリット                ２６Ａ…スリット
２６Ｂ…スリット
２７…ホルダー部              ２７Ａ…挟着部
２７Ｂ…傾斜突出部
２７ｂ…傾斜面
２７Ｃ…係止部
２８…収納スペース
３１…閉塞プレート
３２…側壁
４１…コネクタ                ４１Ａ…本体部
４１Ｂ…挿入部
４２…リード線                ４２Ａ…Ｕ曲部
４２Ｂ…Ｕ曲部
４３…ブッシュ
４４…ブッシュ
４５…リード線
５１…底板
５３…区画壁
５４…周壁
５５…係止プレート            ５５Ａ…係止孔
５５Ｂ…抜け止め突出部
５６…挿通隙間
５７…配線溝
５８…配線リブ
５９…ホルダーリブ
６１…天板
６２…底プレート
６３…区画壁
６４…周壁
６５…挿入プレート            ６５Ａ…係止凸部
９０…携帯機器
９１…携帯電話
【図１】
0005496571.tif 000002
【図２】
0005496571.tif 000003
【図３】
0005496571.tif 000004
【図４】
0005496571.tif 000005
【図５】
0005496571.tif 000006
【図６】
0005496571.tif 000007
【図７】
0005496571.tif 000008
【図８】
0005496571.tif 000009
【図９】
0005496571.tif 000010
【図１０】
0005496571.tif 000011
【図１１】
0005496571.tif 000012
【図１２】
0005496571.tif 000013
【図１３】
0005496571.tif 000014
【図１４】
0005496571.tif 000015
【図１５】
0005496571.tif 000016
【図１６】
0005496571.tif 000017